(57)【要約】【課題】対象データのファイル形式を変換するための変換方法を切り替え可能であることを適切に通知するための技術を提供する。【解決手段】コンピュータプログラムは、第１ファイル形式を有する対象データを、第２ファイル形式を有する変換済み対象データに変換する第１変換部と、対象データをサーバに送信して変換させる第２変換部と、第１及び第２変換方法のうちの一方がデフォルト変換方法として設定されている状態で、第１及び第２変換方法のうちの他方である代替変換方法をデフォルト変換方法として設定するのか否かを判断する判断部と、代替変換方法をデフォルト変換方法として設定すると判断する場合に、代替変換方法をデフォルト変換方法として設定するためのメッセージを出力し、代替変換方法を設定しないと判断する場合に、メッセージを出力しない出力部と、として機能させる。【選択図】図４
2018055556.tif 000002
【特許請求の範囲】
【請求項１】
端末装置のためのコンピュータプログラムであって、
前記端末装置に搭載されるコンピュータを、
第１変換方法がデフォルト変換方法として設定されている状態で、第１ファイル形式を有する対象データを、前記第１ファイル形式とは異なる第２ファイル形式を有する変換済み対象データに変換する第１変換部であって、前記第１変換方法は、前記端末装置が、前記対象データを前記変換済み対象データに変換する変換方法である、前記第１変換部と、
第２変換方法が前記デフォルト変換方法として設定されている状態で、前記端末装置の通信インターフェースを介して、前記対象データをサーバに送信して変換させる第２変換部であって、前記第２変換方法は、前記端末装置が、前記通信インターフェースを介して、前記対象データを前記サーバに送信することによって、前記サーバに前記対象データを変換させ、前記通信インターフェースを介して、前記サーバから前記変換済み対象データを受信する変換方法である、前記第２変換部と、
前記第１変換方法及び前記第２変換方法のうちの一方が前記デフォルト変換方法として設定されている状態で、前記デフォルト変換方法に設定されている前記第１変換方法及び前記第２変換方法のうちの前記一方に代えて、前記第１変換方法及び前記第２変換方法のうちの他方である代替変換方法を前記デフォルト変換方法として設定するのか否かを判断する判断部と、
前記代替変換方法を前記デフォルト変換方法として設定すると判断する場合に、前記代替変換方法を前記デフォルト変換方法として設定するためのメッセージを出力し、前記代替変換方法を前記デフォルト変換方法として設定しないと判断する場合に、前記メッセージを出力しない出力部と、
として機能させるコンピュータプログラム。
【請求項２】
前記出力部は、
前記代替変換方法を前記デフォルト変換方法として設定すると判断する場合に、前記メッセージを前記端末装置の表示部に表示させ、
前記代替変換方法を前記デフォルト変換方法として設定しないと判断する場合に、前記メッセージを前記表示部に表示させない、請求項１に記載のコンピュータプログラム。
【請求項３】
前記コンピュータプログラムは、
前記コンピュータを、さらに、
前記メッセージが出力される場合に、前記代替変換方法を前記デフォルト変換方法として設定するための設定操作の入力を受け付ける受付部として機能させる請求項１又は２に記載のコンピュータプログラム。
【請求項４】
前記判断部は、前記デフォルト変換方法に設定されている前記第１変換方法及び前記第２変換方法のうちの前記一方によって前記対象データが前記変換済み対象データに変換される前に、前記デフォルト変換方法に設定されている前記第１変換方法及び前記第２変換方法のうちの前記一方に代えて、前記代替変換方法を前記デフォルト変換方法として設定するのか否かを判断し、
前記出力部は、前記代替変換方法を前記デフォルト変換方法として設定すると判断する場合に、前記デフォルト変換方法に設定されている前記第１変換方法及び前記第２変換方法のうちの前記一方によって前記対象データが前記変換済み対象データに変換される前に、前記メッセージを出力し、
前記対象データは、
前記代替変換方法が前記デフォルト変換方法としてユーザによって設定される場合に、前記代替変換方法によって前記変換済み対象データに変換され、
前記代替変換方法が前記デフォルト変換方法として前記ユーザによって設定されない場合に、前記デフォルト変換方法に設定されている前記第１変換方法及び前記第２変換方法のうちの前記一方によって前記変換済み対象データに変換される、請求項１から３のいずれか一項に記載のコンピュータプログラム。
【請求項５】
前記判断部は、前記第２変換方法が前記デフォルト変換方法に設定されており、かつ、前記対象データにアクセスするためのパスワードが前記対象データに設定されている場合に、前記デフォルト変換方法に設定されている前記第２変換方法によって前記対象データが前記変換済み対象データに変換される前に、前記デフォルト変換方法に設定されている前記第２変換方法に代えて、前記代替変換方法である前記第１変換方法を前記デフォルト変換方法として設定すると判断する、請求項４に記載のコンピュータプログラム。
【請求項６】
前記判断部は、前記第２変換方法が前記デフォルト変換方法に設定されており、かつ、前記端末装置が携帯電話回線ネットワークを介することによってのみ、前記サーバと通信可能である場合に、前記デフォルト変換方法に設定されている前記第２変換方法によって前記対象データが前記変換済み対象データに変換される前に、前記デフォルト変換方法に設定されている前記第２変換方法に代えて、前記代替変換方法である前記第１変換方法を前記デフォルト変換方法として設定すると判断する、請求項４又は５に記載のコンピュータプログラム。
【請求項７】
前記判断部は、前記第２変換方法が前記デフォルト変換方法に設定されており、前記対象データのサイズが所定サイズ以上である場合に、前記デフォルト変換方法に設定されている前記第２変換方法によって前記対象データが前記変換済み対象データに変換される前に、前記デフォルト変換方法に設定されている前記第２変換方法に代えて、前記代替変換方法である前記第１変換方法を前記デフォルト変換方法として設定すると判断する、請求項４から６のいずれか一項に記載のコンピュータプログラム。
【請求項８】
前記判断部は、前記第２変換方法が前記デフォルト変換方法に設定されており、かつ、前記端末装置が前記サーバと通信不可能である場合に、前記デフォルト変換方法に設定されている前記第２変換方法に代えて、前記代替変換方法である前記第１変換方法を前記デフォルト変換方法として設定すると判断する、請求項４から７のいずれか一項に記載のコンピュータプログラム。
【請求項９】
前記判断部は、前記デフォルト変換方法に設定されている前記第１変換方法及び前記第２変換方法のうちの前記一方によって前記対象データが前記変換済み対象データに変換された後に、前記デフォルト変換方法に設定されている前記第１変換方法及び前記第２変換方法のうちの前記一方に代えて、前記代替変換方法を前記デフォルト変換方法として設定するのか否かを判断する、請求項１から８のいずれか一項に記載のコンピュータプログラム。
【請求項１０】
前記コンピュータプログラムは、
前記コンピュータを、さらに、
前記対象データが前記変換済み対象データに変換された後に、前記変換済み対象データによって表わされる画像を含む印刷画面を前記端末装置の表示部に表示させる表示制御部であって、前記印刷画面は、さらに、前記画像の印刷を指示するための印刷ボタンと、前記画像の印刷をキャンセルするためのキャンセルボタンと、を含む、前記表示制御部として機能させ、
前記判断部は、前記第１変換方法が前記デフォルト変換方法に設定されており、かつ、前記キャンセルボタンが選択された場合に、前記デフォルト変換方法に設定されている前記第１変換方法に代えて、前記代替変換方法である前記第２変換方法を前記デフォルト変換方法として設定すると判断する、請求項９に記載のコンピュータプログラム。
【請求項１１】
前記判断部は、前記第２変換方法が前記デフォルト変換方法に設定されており、かつ、前記デフォルト変換方法に設定されている前記第２変換方法によって前記対象データが前記変換済み対象データに変換されるのに一定時間以上を要した場合に、前記デフォルト変換方法に設定されている前記第２変換方法に代えて、前記代替変換方法である前記第１変換方法を前記デフォルト変換方法として設定すると判断する、請求項９又は１０に記載のコンピュータプログラム。
【請求項１２】
前記コンピュータプログラムは、前記第１変換部を機能させるための変換プログラムを備え、
前記第１変換部は、前記変換プログラムを利用して、前記対象データから取得される複数個のコマンドに従って、前記対象データを前記変換済み対象データに変換し、
前記判断部は、前記第１変換方法が前記デフォルト変換方法に設定されており、かつ、前記変換プログラムが前記複数個のコマンドのうちの少なくとも一部のコマンドを解読不能である場合に、前記デフォルト変換方法に設定されている前記第１変換方法に代えて、前記代替変換方法である前記第２変換方法を前記デフォルト変換方法として設定すると判断する、請求項９から１１のいずれか一項に記載のコンピュータプログラム。
【請求項１３】
前記判断部は、前記第１変換方法が前記デフォルト変換方法として設定されており、かつ、前記変換済み対象データのサイズが下限サイズ以下である場合に、前記デフォルト変換方法に設定されている前記第１変換方法に代えて、前記代替変換方法である前記第２変換方法を前記デフォルト変換方法として設定すると判断する、請求項９から１２のいずれか一項に記載のコンピュータプログラム。
【発明の詳細な説明】
【技術分野】
【０００１】
本明細書に開示されている技術は、対象データのファイル形式を変換可能な端末装置のコンピュータプログラムに関する。
【背景技術】
【０００２】
プリンタが端末装置から印刷対象のデータを受信して、当該データによって表わされる画像の印刷を実行する技術が知られている。データのファイル形式が、プリンタが処理不可能なファイル形式（例えばＰＤＦ形式）である場合に、端末装置は、データをプリンタに送信する前に、データのファイル形式を変換する。端末装置は、ファイル形式の変換方法として、複数の変換方法（端末装置が変換処理を実行する変換方法と、端末装置と通信可能なサーバが変換処理を実行する変換方法）を利用可能である。
【発明の概要】
【発明が解決しようとする課題】
【０００３】
上記の技術では、例えば、ユーザが複数の変換方法を利用可能であることを知らない場合に、適切な変換方法が端末装置に設定されない可能性がある。そのため、端末装置は、適切な変換方法を利用して変換処理を実行することができない可能性がある。本明細書では、対象データのファイル形式を変換するための変換方法を切り替え可能であることを適切に通知するための技術を開示する。
【課題を解決するための手段】
【０００４】
本明細書に記載のコンピュータプログラムは、端末装置のためのコンピュータプログラムであって、前記端末装置に搭載されるコンピュータを、第１変換方法がデフォルト変換方法として設定されている状態で、第１ファイル形式を有する対象データを、前記第１ファイル形式とは異なる第２ファイル形式を有する変換済み対象データに変換する第１変換部であって、前記第１変換方法は、前記端末装置が、前記対象データを前記変換済み対象データに変換する変換方法である、前記第１変換部と、第２変換方法が前記デフォルト変換方法として設定されている状態で、前記端末装置の通信インターフェースを介して、前記対象データをサーバに送信して変換させる第２変換部であって、前記第２変換方法は、前記端末装置が、前記通信インターフェースを介して、前記対象データを前記サーバに送信することによって、前記サーバに前記対象データを変換させ、前記通信インターフェースを介して、前記サーバから前記変換済み対象データを受信する変換方法である、前記第２変換部と、前記第１変換方法及び前記第２変換方法のうちの一方が前記デフォルト変換方法として設定されている状態で、前記デフォルト変換方法に設定されている前記第１変換方法及び前記第２変換方法のうちの前記一方に代えて、前記第１変換方法及び前記第２変換方法のうちの他方である代替変換方法を前記デフォルト変換方法として設定するのか否かを判断する判断部と、前記代替変換方法を前記デフォルト変換方法として設定すると判断する場合に、前記代替変換方法を前記デフォルト変換方法として設定するためのメッセージを出力し、前記代替変換方法を前記デフォルト変換方法として設定しないと判断する場合に、前記メッセージを出力しない出力部と、として機能させる。
【０００５】
本明細書に記載されているコンピュータプログラムによれば、端末装置は、デフォルト変換方法に設定されている第１変換方法及び第２変換方法のうちの一方に代えて、代替変換方法をデフォルト変換方法として設定すると判断する場合に、代替変換方法をデフォルト変換方法として設定するためのメッセージを出力する。これにより、端末装置は、デフォルト変換方法を切り換えるべき場合に、デフォルト変換方法を切り替え可能であることを適切にユーザに適切に通知することができる。
【０００６】
上記の処理を実行する端末装置、及び、端末装置の制御方法も、新規で有用である。また、端末装置と上記のサーバとを備える通信システムも、新規で有用である。
【図面の簡単な説明】
【０００７】
【図１】本実施形態に係るシステムの概略図
【図２】図２（Ａ）は、複合機のブロック図であり、図２（Ｂ）は、端末装置のブロック図
【図３】端末装置によって実行される処理のフローチャート
【図４】データ変換処理のフローチャート
【図５】図４の続きのフローチャート
【図６】図５の続きのフローチャート
【図７】図６の続きのフローチャート
【図８】端末装置に表示される第１メッセージ
【図９】端末装置に表示される第２メッセージ
【図１０】端末装置に表示される印刷画面
【発明を実施するための形態】
【０００８】
（通信システムの構成；図１、図２）
図１は、本実施形態に係るシステム１００の概略図である。図１に示されるシステム１００は、複合機１０と、端末装置５０と、サーバ８０とで構成される。複合機１０、端末装置５０、及びサーバ８０は、通信ネットワークを介して相互に通信可能とされている。
【０００９】
複合機１０及び端末装置５０は、無線ＬＡＮ１０２に属している。すなわち、複合機１０及び端末装置５０は、無線ＬＡＮ１０２の不図示のアクセスポイントを経由して、相互に通信することができる。また、無線ＬＡＮ１０２内にルータ１０２Ａが設置されている場合では、無線ＬＡＮ１０２は、ルータ１０２Ａを通じてインターネット１０１に接続されている。さらに、サーバ８０は、インターネット１０１に接続されている。すなわち、複合機１０及び端末装置５０は、ルータ１０２Ａからインターネット１０１を経由して、サーバ８０と通信することができる。
【００１０】
端末装置５０は、さらに、基地局１０３に接続されている場合に、基地局１０３を介して、インターネット１０１に接続されている。
【００１１】
複合機１０は、図２（Ａ）に示されるように、プリンタ１１と、スキャナ１２と、ＦＡＸ部１３と、ディスプレイ２３と、入力Ｉ／Ｆ２４と、ＬＡＮ＿Ｉ／Ｆ２５と、ＣＰＵ３１と、メモリ３２と、通信バス３３とを主に備える。複合機１０を構成する各構成要素は、通信バス３３を通じて相互に接続されている。
【００１２】
プリンタ１１は、画像データで示される画像をシートに記録するプリント動作を実行する。プリンタ１１の記録方式としては、インクジェット方式や電子写真方式などの公知の方式を採用することができる。スキャナ１２は、原稿に記録されている画像を読み取って画像データを生成するスキャン動作を実行する。ＦＡＸ部１３は、ＦＡＸプロトコルに準拠した方式で画像データを送受信するＦＡＸ送信動作及びＦＡＸ受信動作を実行する。
【００１３】
ディスプレイ２３は、液晶ディスプレイ、有機ＥＬディスプレイ等であり、各種情報を表示する表示面を備える。
【００１４】
入力Ｉ／Ｆ２４は、ユーザによる入力操作を受け付けるユーザインタフェースである。具体的には、入力Ｉ／Ｆ２４はボタンを有しており、押下されたボタンに対応づけられた各種の操作信号をＣＰＵ３１へ出力する。さらに、入力Ｉ／Ｆ２４は、ディスプレイ２３の表示面に重畳された膜状のタッチセンサを有していてもよい。
【００１５】
タッチセンサとして実現される入力Ｉ／Ｆ２４は、ユーザがタッチした表示面上の位置を示す位置情報を出力する。なお、本明細書中における「タッチ」とは、入力媒体を表示面に接触させる操作全般を含む。また、入力媒体が表示面に触れていなくても、表示面との間の距離がごく僅かな位置まで入力媒体を近接させる「ホバー」或いは「フローティングタッチ」を、前述の「タッチ」の概念に含めてもよい。さらに入力媒体とは、ユーザの指であってもよいし、タッチペン等であってもよい。
【００１６】
ＬＡＮ＿Ｉ／Ｆ２５は、通信ネットワークを通じて外部装置と通信可能なインタフェースである。すなわち、複合機１０は、ＬＡＮ＿Ｉ／Ｆ２５を通じて外部装置に各種情報を送信し、ＬＡＮ＿Ｉ／Ｆ２５を通じて外部装置から各種情報を受信する。ＬＡＮ＿Ｉ／Ｆ２５の具体的な通信手順は特に限定されないが、例えば、Ｗｉ−Ｆｉ（Wi-Fi Allianceの登録商標）を採用することができる。また、複合機１０及び端末装置５０がＵＳＢケーブルで接続される場合のＬＡＮ＿Ｉ／Ｆ２５は、ＵＳＢケーブルが着脱されるＵＳＢインタフェースであってもよい。
【００１７】
ＣＰＵ３１は、複合機１０の全体動作を制御するものである。ＣＰＵ３１は、入力Ｉ／Ｆ２４から出力される各種情報、ＬＡＮ＿Ｉ／Ｆ２５を通じて外部装置から受信した各種情報等に基づいて、後述する各種プログラムをメモリ３２から取得して実行する。
【００１８】
メモリ３２は、ＯＳ３４と、装置プログラム３５とを記憶している。装置プログラム３５は、単一のプログラムであってもよいし、複数のプログラムの集合体であってもよい。また、メモリ３２は、装置プログラム３５の実行に必要なデータ或いは情報等を記憶する。メモリ３２は、例えば、ＲＡＭ、ＲＯＭ、ＥＥＰＲＯＭ、ＨＤＤ、複合機１０に着脱されるＵＳＢメモリ等の可搬記憶媒体、ＣＰＵ３１が備えるバッファ等、或いはそれらの組み合わせによって構成される。
【００１９】
メモリ３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット１０１上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。後述する端末装置５０のメモリ６２についても同様である。
【００２０】
端末装置５０は、図２（Ｂ）に示されるように、ディスプレイ５３と、入力Ｉ／Ｆ５４と、ＬＡＮ＿Ｉ／Ｆ５５と、セルラーＩ／Ｆ５６と、ＣＰＵ６１と、メモリ６２と、通信バス６３とを主に備える。端末装置５０に含まれるディスプレイ５３、入力Ｉ／Ｆ５４、ＬＡＮ＿Ｉ／Ｆ５５、ＣＰＵ６１、メモリ６２、及び通信バス６３は、複合機１０に含まれるディスプレイ２３、入力Ｉ／Ｆ２４、ＬＡＮ＿Ｉ／Ｆ２５、ＣＰＵ３１、メモリ３２、及び通信バス３３と同様の構成であるので、説明は省略する。セルラーＩ／Ｆ５６は、携帯電話回線ネットワーク（例えば、３Ｇ（3rd Generation）ネットワーク、４Ｇ（4th Generation）ネットワーク等）を利用した通信を実行するためのＩ／Ｆである。セルラーＩ／Ｆ５６は、基地局１０３を介して、インターネット上のサーバ８０と通信可能である。
【００２１】
端末装置５０は、例えば、携帯電話、スマートフォン、或いはタブレット端末、或いはＰＣ等である。より詳細には、端末装置５０のディスプレイ５３は、表示画面のサイズが１２インチ以下、より好ましくは８インチ以下であるのが望ましい。また、端末装置５０の入力Ｉ／Ｆ５４は、ディスプレイ５３の表示画面に重ねられたタッチセンサであるのが望ましい。
【００２２】
メモリ６２は、ＯＳ６４と、印刷プログラム６５とを記憶している。ＯＳ６４は、例えば、Ａｎｄｒｏｉｄ（Google inc.の登録商標）  ＯＳ、ｉＯＳ（Cisco Systems,Inc.の登録商標）、Ｗｉｎｄｏｗｓ  Ｐｈｏｎｅ（Microsoft Corporationの登録商標）  Ｏｐｅｒａｔｉｎｇ  Ｓｙｓｔｅｍ等であってもよい。
【００２３】
印刷プログラム６５は、複合機１０のベンダによって提供され、複合機１０に印刷を実行させるためのプログラムである。印刷プログラム６５は、複合機１０と共に出荷されるメディアから端末装置５０にインストールされてもよいし、複合機１０のベンダによって提供されるインターネット上のサーバから複合機１０にインストールされてもよい。
【００２４】
印刷プログラム６５は、変換プログラム６６を備える。変換プログラム６６は、第１ファイル形式を有するコンテンツデータを、第１ファイル形式とは異なる第２ファイル形式を有する変換済みコンテンツデータに変換するためのプログラムである。第１ファイル形式とは、複合機１０が出力動作を実行できない形式である。ここでいう出力とは、印刷等を指す。第１ファイル形式は、例えば、ＰＤＦ（Portable Document Formatの略）のデータ形式（拡張子は“．ｐｄｆ”）、ワープロソフトで用いられるデータ形式（拡張子は“．ｔｘｔ”（Textの略）、“．ｄｏｃ”（Documentの略））、表計算ソフトで用いられるデータ形式（拡張子は“．ｘｌｓ”（eXceL Sheetの略））、プレゼンテーション用ソフトで用いられるデータ形式（拡張子は“．ｐｐｔ”（PowerPointの略））である。第２ファイル形式とは、複合機１０が出力動作を実行できる形式である。第２ファイル形式は、例えば、JPEG（Joint Photographic Experts Groupの略）方式による画像ファイル形式（拡張子は“．ｊｐｇ”）、ビットマップ方式による画像ファイル形式（拡張子は“．ｂｍｐ”（BitMaPの略））である。なお、第１ファイル形式及び第２ファイル形式は、複合機１０毎に異なっていてもよい。そして、変換プログラム６６は、第１ファイル形式及び第２ファイル形式を示す情報を、複合機１０から受信してもよいし、複合機１０のモデル名に対応付けて記憶する不図示のサーバから受信してもよい。以下では、変換プログラム６６によって実行されるファイル形式の変換を「ローカル変換」と呼ぶ。
【００２５】
また、端末装置５０は、ＬＡＮ＿Ｉ／Ｆ５５又はセルラーＩ／Ｆ５６を介して、第１ファイル形式を有するコンテンツデータをサーバ８０に送信することによって、サーバ８０に、第１ファイル形式を有するコンテンツデータを、第２ファイル形式を有するコンテンツデータに変換させることができる。そして、端末装置５０は、ＬＡＮ＿Ｉ／Ｆ５５又はセルラーＩ／Ｆ５６を介して、サーバ８０から第２ファイル形式を有するコンテンツデータを受信することができる。以下では、サーバ８０によって実行されるファイル形式の変換を「サーバ変換」と呼ぶ。端末装置５０には、ローカル変換及びサーバ変換のうちの一方がデフォルト変換方法として設定されている。端末装置５０は、コンテンツデータを変換する際に、デフォルト変換方法として設定されている変換方法を利用する。
【００２６】
サーバ８０は、第１ファイル形式を有するコンテンツデータを、第２ファイル形式を有するコンテンツデータに変換することができる。より詳細には、サーバ８０は、端末装置５０から第１ファイル形式を有するコンテンツデータを受信し、第１ファイル形式を有するコンテンツデータを、第２ファイル形式を有するコンテンツデータに変換し、第２ファイル形式を有するコンテンツデータを端末装置５０に送信する。なお、端末装置５０の変換プログラム６６及びサーバ８０によって実行される変換処理は、同一のアルゴリズムで実現されてもよいし、異なるアルゴリズムで実現されてもよい。
【００２７】
（端末装置５０によって実行される処理；図３〜図７）
図３〜図７を参照して、印刷プログラム６５に従って実行される端末装置５０のＣＰＵ６１の動作を説明する。
【００２８】
Ｓ１１では、ＣＰＵ６１は、例えば、入力Ｉ／Ｆ５４を通じたユーザ操作によって起動されたことに応じて、データ選択画面を、ディスプレイ５３に表示させる。データ選択画面は、出力動作の対象となる対象データの指定を促す画面である。なお、データ選択画面の表示は、印刷プログラム６５が起動された直後に限定されず、データ選択画面の表示を指示するユーザ操作を入力Ｉ／Ｆ５４を通じて受け付けたタイミングであってもよい。
【００２９】
Ｓ１２では、ＣＰＵ６１は、データ選択画面に対するユーザ操作を、入力Ｉ／Ｆ５４を通じて受け付けたか否かを判断する。データ選択画面は、データフォルダに記憶されたコンテンツデータに対応するデータアイコンを含む。各データアイコンは、対応するコンテンツデータのファイル形式を示す形式画像（例えば、“ＰＤＦ”、“ＤＯＣＸ”等を含む画像）と、対応するコンテンツデータのデータ識別情報とを含む。印刷プログラム６５は、１個のデータアイコンの指定を入力Ｉ／Ｆ５４を通じて受け付けたことに応じて（Ｓ１２：Ｙ）、当該データアイコンに対応するコンテンツデータを対象データに決定する。より詳細には、印刷プログラム６５は、対象データのデータ識別情報をメモリ６２に一時記憶させる。ＣＰＵ６１は、Ｓ１２で肯定判断する場合に、Ｓ１３に進む。
【００３０】
Ｓ１３では、印刷プログラム６５は、データ変換処理を実行する。データ変換処理は、第１ファイル形式を有する対象データを、第２ファイル形式を有する変換済み対象データに変換する処理である。なお、Ｓ１２で第２ファイル形式のコンテンツデータが対象データに決定された場合、データ変換処理は省略される。
【００３１】
Ｓ２０では、ＣＰＵ６１は、データ変換処理によって取得された変換済み対象データを含むプリント指示をＬＡＮ＿Ｉ／Ｆ５５を介して複合機１０に送信する。これにより、複合機１０は、端末装置５０からプリント指示を受信して、プリント指示に含まれる変換済み対象データによって表わされる画像の印刷を実行する。
【００３２】
図４〜図７を参照して、データ変換処理の詳細を説明する。Ｓ１００では、ＣＰＵ６１は、サーバ変換がデフォルト変換方法として設定されているのか否かを判断する。ＣＰＵ６１は、Ｓ１００で肯定判断する場合に、Ｓ１０５に進み、Ｓ１００で否定判断する場合に、Ｓ１３５に進む。
【００３３】
Ｓ１０５では、ＣＰＵ６１は、対象データにアクセスするためのパスワードが設定されているのか否かを判断する。ＣＰＵ６１は、Ｓ１０５で肯定判断する場合に、Ｓ１２０に進み、Ｓ１０５で否定判断する場合に、Ｓ１１０に進む。
【００３４】
Ｓ１１０では、ＣＰＵ６１は、携帯電話回線ネットワークを介することによってのみ、サーバ８０と通信可能であるのか否かを判断する。具体的には、ＣＰＵ６１は、セルラーＩ／Ｆ５６を介してサーバ８０と通信可能であり、かつ、ＬＡＮ＿Ｉ／Ｆ５５を介してサーバ８０と通信不可能である場合に、Ｓ１１０で肯定判断し、Ｓ１２０に進む。一方、ＣＰＵ６１は、ＬＡＮ＿Ｉ／Ｆ５５を介してサーバ８０と通信可能である場合、及び／又は、セルラーＩ／Ｆ５６を介してサーバ８０と通信不可能である場合に、Ｓ１１０で否定判断し、Ｓ１１５に進む。
【００３５】
Ｓ１１５では、ＣＰＵ６１は、対象データのサイズが所定サイズ以上であるのか否かを判断する。ＣＰＵ６１は、Ｓ１１５で肯定判断する場合に、Ｓ１２０に進み、Ｓ１１５で否定判断する場合に、図５のＳ２２０に進む。
【００３６】
一方、Ｓ１２０では、ＣＰＵ６１は、サーバ変換に代えて、ローカル変換をデフォルト変換方法として設定すると判断し、図８の第１メッセージ２０１をディスプレイ５３に表示させる。第１メッセージ２０１は、サーバ変換に代えて、ローカル変換をデフォルト変換方法として設定するためのメッセージである。第１メッセージ２０１は、ローカル変換の設定を指示するためのＯＫボタンＢ１と、ローカル変換の設定をキャンセルするためのＣａｎｃｅｌボタンＢ２と、を含む。なお、Ｓ１０５〜Ｓ１１５の全てで否定判断される場合に、ＣＰＵ６１は、第１メッセージ２０１をディスプレイ５３に表示させない。
【００３７】
Ｓ１２５では、ＣＰＵ６１は、ローカル変換をデフォルト変換方法として設定するための設定操作の入力を受け付けたのか否かを判断する。ＣＰＵ６１は、第１メッセージ２０１においてＯＫボタンＢ１が選択された場合（Ｓ１２５：Ｙ）に、Ｓ１３０に進む。一方、ＣＰＵ６１は、第１メッセージ２０１においてＣａｎｃｅｌボタンＢ２が選択された場合（Ｓ１２５：Ｎ）に、Ｓ２２０に進む。
【００３８】
Ｓ１３０では、ＣＰＵ６１は、サーバ変換に代えて、ローカル変換をデフォルト変換方法として設定する。
【００３９】
Ｓ１３５では、ＣＰＵ６１は、ローカル変換を実行する。即ち、ＣＰＵ６１は、変換プログラム６６を利用して、対象データから取得される複数個のコマンドに従って、第１ファイル形式を有する対象データを、第２ファイル形式を有する変換済み対象データに変換する。即ち、複数個のコマンドは、対象データの変換を指示するコマンドである。
【００４０】
図５のＳ２２０に進む場合では、サーバ変換がデフォルト変換方法として設定されている（Ｓ１００：Ｙ）。Ｓ２２０では、ＣＰＵ６１は、サーバ８０と通信可能であるのか否かを判断する。具体的には、ＣＰＵ６１は、ＬＡＮ＿Ｉ／Ｆ５５及びセルラーＩ／Ｆ５６を介して、確認信号をサーバ８０に送信し、ＬＡＮ＿Ｉ／Ｆ５５及び／又はセルラーＩ／Ｆ５６を介して、サーバ８０から確認信号に対する応答信号を受信するのか否かを判断する。ＣＰＵ６１は、サーバ８０から応答信号を受信する場合に、Ｓ２２０で肯定判断し、Ｓ２２５に進む。一方、サーバ８０から応答信号を受信しない場合に、Ｓ２２０で否定判断し、Ｓ２３５に進む。
【００４１】
Ｓ２２５では、ＣＰＵ６１は、ＬＡＮ＿Ｉ／Ｆ５５又はセルラーＩ／Ｆ５６を介して、対象データをサーバ８０に送信する。これにより、サーバ８０は、端末装置５０から対象データを受信し、第１ファイル形式を有する対象データを、第２ファイル形式を有する変換済み対象データに変換する。
【００４２】
Ｓ２３０では、ＣＰＵ６１は、メモリ６２内のタイマ（図示省略）をスタートさせて、時間計測を開始する。
【００４３】
Ｓ２３５では、ＣＰＵ６１は、サーバ８０と通信不可能であることを示すエラー画面（図示省略）をディスプレイ５３に表示させる。
【００４４】
Ｓ２４０では、ＣＰＵ６１は、図８の第１メッセージ２０１をディスプレイ５３に表示させる。なお、Ｓ２２０で肯定判断される場合に、ＣＰＵ６１は、第１メッセージ２０１をディスプレイ５３に表示させない。
【００４５】
Ｓ２４５は、図４のＳ１２５と同様である。ＣＰＵ６１は、Ｓ２４５で肯定判断する場合に、Ｓ２５０に進み、Ｓ２４５で否定判断する場合に、データ変換処理を終了する。Ｓ２５０、Ｓ２５５は、図４のＳ１３０、Ｓ１３５と同様である。
【００４６】
図６のＳ３１０では、ＣＰＵ６１は、予め決められた第１期間が経過したのか否かを判断する。ＣＰＵ６１は、Ｓ３１０で肯定判断する場合に、Ｓ３１５に進み、Ｓ３１０で否定判断する場合に、Ｓ３２０に進む。
【００４７】
Ｓ３１５は、Ｓ１２０と同様である。なお、Ｓ３１０で否定判断される場合に、ＣＰＵ６１は、第１メッセージ２０１をディスプレイ５３に表示させない。
【００４８】
Ｓ３２０では、ＣＰＵ６１は、ＬＡＮ＿Ｉ／Ｆ５５又はセルラーＩ／Ｆ５６を介して、第２ファイル形式を有する変換済み対象データをサーバ８０から受信したのか否かを判断する。ＣＰＵ６１は、Ｓ３２０で肯定判断する場合に、Ｓ３５５に進み、Ｓ３２０で否定判断する場合に、Ｓ３２５に進む。
【００４９】
Ｓ３２５では、ＣＰＵ６１は、Ｓ３１５で表示された第１メッセージにおいて、ＯＫボタンＢ１が選択された場合（Ｓ３２５：Ｙ）に、Ｓ３３０に進む。一方、ＣＰＵ６１は、第１メッセージ２０１においてＣａｎｃｅｌボタンＢ２が選択された場合、又は、いずれのボタンも操作されない場合（Ｓ３２５：Ｎ）に、Ｓ３２０に戻る。
【００５０】
Ｓ３３０では、ＣＰＵ６１は、ＬＡＮ＿Ｉ／Ｆ５５又はセルラーＩ／Ｆ５６を介して、対象データの変換の中止を指示するための変換中止指示をサーバ８０に送信する。サーバ８０は、端末装置５０から変換中止指示を受信すると、対象データの変換を中止する。Ｓ３３５、Ｓ３４０は、それぞれ、図４のＳ１３０、Ｓ１３５と同様である。
【００５１】
Ｓ３５０は、Ｓ３２０と同様である。Ｓ３５５では、ＣＰＵ６１は、タイマをストップして、時間計測を終了する。これにより、対象データがサーバ８０に送信されてから、変換済み対象データがサーバ８０から受信されるまでの時間が計測される。
【００５２】
Ｓ３６０では、ＣＰＵ６１は、計測された時間が予め決められた第２期間以上であるのか否かを判断する。ＣＰＵ６１は、Ｓ３６０で肯定判断する場合に、Ｓ３６５に進む。この場合、ＣＰＵ６１は、サーバ変換によって対象データが変換済みデータに変換されるのに第２期間以上を要したと判断している。一方、ＣＰＵ６１は、Ｓ３６０で否定判断する場合に、図７のＳ４０５に進む。
【００５３】
Ｓ３６５は、図４のＳ１２０と同様である。なお、Ｓ３６０で否定判断される場合に、ＣＰＵ６１は、第１メッセージ２０１をディスプレイ５３に表示させない。Ｓ３７０、Ｓ３７５は、図４のＳ１２５、Ｓ１３０と同様である。
【００５４】
Ｓ４０５では、ＣＰＵ６１は、図１０の印刷画面２０５をディスプレイ５３に表示させる。印刷画面２０５は、変換済み対象データによって表わされるプレビュー画像２０７と、プレビュー画像２０７の印刷を指示するための印刷ボタンＢ５と、プレビュー画像２０７の印刷をキャンセルするためのＣａｎｃｅｌボタンＢ６と、を含む。
【００５５】
Ｓ４１０では、ＣＰＵ６１は、印刷画面２０５においてＣａｎｃｅｌボタンＢ６が選択されたのか否かを判断する。ＣＰＵ６１は、ＣａｎｃｅｌボタンＢ６が選択された場合（Ｓ４１０：Ｙ）に、Ｓ４１５に進み、印刷ボタンＢ５が選択された場合（Ｓ４１０：Ｎ）に、データ変換処理を終了する。
【００５６】
Ｓ４１５では、ＣＰＵ６１は、変換エラーが生じたのか否かを判断する。具体的には、ＣＰＵ６１は、対象データから取得される複数個のコマンドの少なくとも一部のコマンドを解読不能である場合に、Ｓ４１５で肯定判断し、Ｓ４２０に進む。また、ＣＰＵ６１は、変換済み対象データのサイズが予め決められた下限サイズ（例えば１０ｋＢ）以下である場合に、Ｓ４１５で肯定判断し、Ｓ４２０に進む。一方、ＣＰＵ６１は、対象データから取得される複数個のコマンドの全てが解読可能であり、かつ、変換済み対象データのサイズが下限サイズよりも大きい場合に、Ｓ４１５で否定判断し、データ変換処理を終了する。
【００５７】
Ｓ４２０は、図４のＳ１００と同様である。ＣＰＵ６１は、Ｓ４２０で肯定判断する場合に、Ｓ４２５に進み、Ｓ４２０で否定判断する場合に、Ｓ４４０に進む。Ｓ４２５〜Ｓ４３５は、それぞれ、図４のＳ１２０〜Ｓ１３０と同様である。
【００５８】
Ｓ４４０では、ＣＰＵ６１は、ローカル変換に代えて、サーバ変換をデフォルト変換方法として設定すると判断し、図９の第２メッセージ２０３をディスプレイ５３に表示させる。第２メッセージ２０３は、ローカル変換に代えて、サーバ変換をフォルト変換方法として設定するためのメッセージである。第２メッセージ２０３は、サーバ変換の設定を指示するためのＯＫボタンＢ３と、サーバ変換の設定をキャンセルするためのＣａｎｃｅｌボタンＢ４と、を含む。なお、Ｓ４１０又はＳ４１５で否定判断される場合に、ＣＰＵ６１は、第２メッセージ２０３をディスプレイ５３に表示させない。
【００５９】
Ｓ４４５では、ＣＰＵ６１は、サーバ変換をデフォルト変換方法として設定するための設定操作の入力を受け付けたのか否かを判断する。ＣＰＵ６１は、第２メッセージ２０３においてＯＫボタンＢ３が選択された場合（Ｓ４４５：Ｙ）に、Ｓ４５０に進む。一方、ＣＰＵ６１は、第２メッセージ２０３においてＣａｎｃｅｌボタンＢ４が選択された場合（Ｓ４４５：Ｎ）に、データ変換処理を終了する。
【００６０】
Ｓ４５０では、ＣＰＵ６１は、ローカル変換に代えて、サーバ変換をデフォルト変換方法として設定する。Ｓ４５０が終了すると、データ変換処理が終了する。
【００６１】
（実施例の効果）
端末装置５０は、適切な変換方法を利用するために、変換方法を切り替え可能であることをユーザに通知する必要がある。しかし、ユーザがデータの変換と関係のない操作を実行している際に通知がされる場合、ユーザ操作が妨げられることがある。例えば、ユーザがファイルを選択している最中に、変換方法が切り替え可能であることをポップアップウインドウ等で通知すると、表示画面がポップアップウインドウで隠されてしまい、ファイルの選択が妨げられる。
【００６２】
一方、本実施例によると、端末装置５０は、デフォルト変換方法を変更する必要があると判断する場合（図４のＳ１０５：Ｙ等）に、デフォルト変換方法を変更するためのメッセージ２０１、２０３を表示する（図４のＳ１２０等）。このように、端末装置５０は、通知が必要なときのみメッセージ２０１、２０３を表示することによって、ユーザ操作を妨げることなく、変換方法が切り替え可能であることを通知できる。また、ユーザは、メッセージ２０１、２０３を見ることによって、ローカル変換及びサーバ変換のうちのいずれを利用可能であることを知ることができる。
【００６３】
ユーザは、デフォルト変換方法を変更したい場合に、デフォルト変換方法を変更することができ（図４のＳ１２５：Ｙ等）、デフォルト変換方法を変更したくない場合に、現在設定されているデフォルト変換方法を維持することができる（図４のＳ１２５：Ｎ等）。その結果、端末装置５０は、適切な変換方法を利用して、第１ファイル形式を有する対象データを、第２ファイル形式を有する変換済み対象データに変換することができる（図４のＳ１３５等）。
【００６４】
端末装置５０は、対象データの変換が実行される前に、メッセージ２０１、２０３を表示する（図４のＳ１２０、図５のＳ２４０、図６のＳ３１５）。これにより、端末装置５０は、ユーザが適切な変換方法を選択した後に、対象データの変換を実行することができる（図４のＳ１３５、図５のＳ２５５、図６のＳ３４０）。即ち、ユーザの意図しない変換方法で対象データが変換される事態の発生を防止することができる。
【００６５】
端末装置５０は、対象データにアクセスするためのパスワードが設定されている場合（図４のＳ１０５：Ｙ）に、デフォルト変換方法をサーバ変換からローカル変換に変更すると判断する（Ｓ１２０）。これは、パスワードが設定されている対象データは、機密性の高いデータである可能性が高いためである。機密性の高いデータは、セキュリティの観点から、外部装置であるサーバ８０に送信されない方がよい。この場合に、端末装置５０は、ローカル変換を利用することによって（Ｓ１３５）、対象データのセキュリティを確保することができる。
【００６６】
端末装置５０は、携帯電話回線ネットワークを介することによってのみ、サーバ８０と通信可能である場合（図４のＳ１１０：Ｙ）に、デフォルト変換方法をサーバ変換からローカル変換に変更すると判断する（Ｓ１２０）。これは、公衆無線ＬＡＮなどの無料のネットワークが利用できずに、携帯電話回線ネットワークしか利用できない場合には、サーバ変換を利用すると、携帯電話回線ネットワークの利用料金が発生してしまう。従って、端末装置５０は、対象データの通信が不要なローカル変換を利用することによって、携帯電話回線ネットワークの利用料金の発生を防止することができる。
【００６７】
端末装置５０は、対象データのサイズが所定サイズ以上である場合（図４のＳ１１５：Ｙ）に、デフォルト変換方法をサーバ変換からローカル変換に変更すると判断する（Ｓ１２０）。この場合、仮にサーバ変換を利用すると、対象データのサイズが大きいために、対象データの通信に時間を要したり、高額な通信料が発生したりする可能性がある。従って、端末装置５０は、対象データの通信が不要なローカル変換を利用することによって、処理時間を短縮したり、通信料の発生を防止したりすることができる。
【００６８】
端末装置５０は、サーバ８０と通信不可能である場合（図５のＳ２２０：Ｎ）に、デフォルト変換方法をサーバ変換からローカル変換に変更すると判断する（Ｓ２４０）。これにより、端末装置５０は、サーバ８０と通信不可能であっても、ローカル変換を利用して対象データの変換を実行することができる。
【００６９】
端末装置５０は、デフォルト変換方法がローカル変換であり、かつ、印刷画面２０５においてＣａｎｃｅｌボタンＢ６が選択される場合（図７のＳ４１０：Ｙ、Ｓ４２０：Ｎ）に、変換方法を変更すると判断する（Ｓ４４０）。これは、印刷キャンセルが行われた場合には、印刷画面２０５内のプレビュー画像２０７の態様に問題（例えば、画像の一部が欠けている等）があるとユーザが判断した可能性があるためである。端末装置５０は、ローカル変換によって上記の問題が発生した場合に、サーバ変換を利用して変換を実行することによって、上記の問題を解消することができる可能性がある。なぜなら、サーバ８０は、変換プログラム６６よりも新しいバージョンの変換プログラムを利用している場合があるからである。
【００７０】
端末装置５０は、サーバ変換によって対象データが変換されるのに第２期間以上を要した場合（図６のＳ３６０：Ｙ）に、デフォルト変換方法をサーバ変換からローカル変換に変更すると判断する（Ｓ３６５）。これは、端末装置５０とサーバ８０との間の通信速度が遅いため、対象データの変換に長時間を要した可能性があるためである。従って、端末装置５０は、対象データの通信が不要なローカル変換を利用して、対象データの変換を実行することによって、変換に要する時間を短縮し得る。
【００７１】
端末装置５０は、少なくとも一部のコマンドを解読不能である場合（図７のＳ４１５：Ｙ）に、ローカル変換からサーバ変換に変更すると判断する（Ｓ４２５）。コマンドを解読不能である原因として、変換プログラム６６のバージョンが古いことが考えられる。ローカル変換では、変換プログラムのバージョンが古いという事態が発生しうる。これは、ローカル変換では、ユーザが変換プログラムのアップデートをする必要があるが、ユーザがアップデートを怠る場合があるためである。一方、サーバ変換では、変換プログラムのバージョンが古いという事態は発生しにくい。サーバ管理者が常に変換プログラムのバージョンを最新状態に維持するためである。従って、端末装置５０は、デフォルト変換方法をローカル変換からサーバ変換に変更することによって、上記の原因を解消することができ、サーバ変換を利用して、対象データを適切に変換することができる。
【００７２】
端末装置５０は、変換済み対象データのサイズが下限サイズ以下である場合（Ｓ４１５：Ｙ）に、デフォルト変換方法をローカル変換からサーバ変換に変更すると判断する（Ｓ４２５）。これは、下限サイズ以下の変換済み対象データが表わす画像は、適切でない画像（例えば真っ白な画像）である可能性があるためである。この場合に、端末装置５０は、デフォルト変換方法をローカル変換からサーバ変換に変更することによって、サーバ変換を利用して、対象データを適切に変換し得る。
【００７３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００７４】
（変形例）
端末装置５０は、図４のＳ１２０等において、第１メッセージ２０１を表示することに代えて、サーバ変換に代えて、ローカル変換をデフォルト変換方法として設定することを意味する音声を出力してもよい。同様に、端末装置５０は、図７のＳ４４０において、第２メッセージ２０３を表示することに代えて、ローカル変換に代えて、サーバ変換をデフォルト変換方法として設定することを意味する音声を出力してもよい。一般的に言うと、「出力部」は、どのような態様でメッセージを出力してもよい。
【００７５】
端末装置５０は、メッセージ２０１、２０３を表示した後（図４のＳ１２０等）に、設定操作を受け付けなくても（Ｓ１２５等）、デフォルト変換方法を変更してもよい。即ち、「受付部」は、省略可能である。
【００７６】
端末装置５０は、ローカル変換をデフォルト変換方法として設定し（図４の１３０、図５のＳ２５０、図６のＳ３３５）、ローカル変換を実行した後に（図４の１３５、図５のＳ２５５、図６のＳ３４０）、サーバ変換をデフォルト変換方法として再設定してもよい。即ち、デフォルト変換方法の変更は、対象データの変換が完了するまで間の一時的な変更であってもよい。
【００７７】
ローカル変換は、第１変換方法の一例である。サーバ変換は、第２変換方法の一例である。第１メッセージ及び第２メッセージは、メッセージの一例である。ディスプレイ５３は、表示部の一例である。第２期間は、一定時間の一例である。印刷プログラム６５は、コンピュータプログラムの一例である。
【００７８】
図４のＳ１３５、図５のＳ２５５、図６のＳ３４０は、第１変換部によって実行される処理の一例である。図５のＳ２２５は、第２変換部によって実行される処理の一例である。図４のＳ１０５、Ｓ１１０、Ｓ１１５、図５のＳ２２０、図６のＳ３１０、Ｓ３６０、図７のＳ４１０、Ｓ４１５は、判断部によって実行される処理の一例である。図４のＳ１２０、図５のＳ２４０、図６のＳ３１５、Ｓ３６５、図７のＳ４２５、Ｓ４４０は、出力部によって実行される処理の一例である。図４のＳ１２５、図５のＳ２４５、図６のＳ３２５、Ｓ３７０、図７のＳ４３０、Ｓ４４５は、受付部によって実行される処理の一例である。図７のＳ４０５は、表示制御部によって実行される処理の一例である。
【符号の説明】
【００７９】
１０：複合機、１１：プリンタ、１２：スキャナ、１３：ＦＡＸ部、２３、５３：ディスプレイ、２４、５４：入力Ｉ／Ｆ、２５、５５：ＬＡＮ＿Ｉ／Ｆ、３１、６１：ＣＰＵ、３２、６２：メモリ、３３、６３：通信バス、３４、６４：ＯＳ、３５：装置プログラム、５０：端末装置、５６：セルラーＩ／Ｆ、６５：印刷プログラム、６６：変換プログラム、８０：サーバ、１００：システム、１０１：インターネット、１０２：無線ＬＡＮ、１０２Ａ：ルータ、１０３：基地局、２０１：第１メッセージ、２０３：第２メッセージ、２０５：印刷画面、２０７：画像、Ｂ１、Ｂ３：ＯＫボタン、Ｂ２、Ｂ４、Ｂ６：Ｃａｎｃｅｌボタン、Ｂ５：印刷ボタン
【図１】
2018055556.tif 000003
【図２】
2018055556.tif 000004
【図３】
2018055556.tif 000005
【図４】
2018055556.tif 000006
【図５】
2018055556.tif 000007
【図６】
2018055556.tif 000008
【図７】
2018055556.tif 000009
【図８】
2018055556.tif 000010
【図９】
2018055556.tif 000011
【図１０】
2018055556.tif 000012